(57)【要約】【課題】引手に過酷な負荷が加わっても、引手が自由に揺動して負荷を軽減し、破損しても引手を容易に取り替えることができるスライダーを提供する。【解決手段】引手を自由に係止できる係止部を備え持った係止部材をスライダー胴体の上面に配し、係止部材を回動自在に保持する保持杆を胴体の案内柱に設けた取付孔に軸支し、引手の枢軸を係止部材の可撓性のある脚部に設けた凹状の係止部にスナップ係合させて支持する。したがって引手は前後左右および水平方向に３６０度回動し負荷を軽減できる。引手が万が一破損したときは胴体をファスナーチェンから外すことなく、新しい引手を係止部材に取り付けて簡単に交替できる。【選択図】　図１
2004049504.tif 000002
【特許請求の範囲】
【請求項１】
スライダー胴体２に、引手５を係止できる係止部２３を備えた係止部材３と、胴体２に軸支し係止部材３を回動可能に保持する保持杆４とを配設し、引手５を係止部材３へ後付け可能に形成してなることを特徴とするスライドファスナー用スライダー。
【請求項２】
引手５と係止部２３とをスナップ係合させてなる請求項１記載のスライドファスナー用スライダー。
【請求項３】
引手５は非弾性体から形成し、弾性変形可能な係止部材３に係止してなる請求項１記載のスライドファスナー用スライダー。
【請求項４】
引手５は弾性変形可能に形成し、非弾性体の係止部材３に係止してなる請求項１記載のスライドファスナー用スライダー。
【請求項５】
係止部２３は、係止部材３の可撓性を有する脚部２２に形成してなる請求項１記載のスライドファスナー用スライダー。
【請求項６】
保持杆４は一端に頭部３０を設け、保持杆４の頭部３０と胴体２との間に係止部材３を抜脱不能に介設し、頭部３０によって係止部２３を掩蔽してなる請求項１記載のスライドファスナー用スライダー。
【請求項７】
保持杆４の頭部３０に施錠用のリング部３６を設置してなる請求項１記載のスライドファスナー用スライダー。
【請求項８】
胴体２上面に、前方へ突出する施錠用のリング部３６を収容できる収容部１４を設け、リング部３６を収容してなる請求項１記載のスライドファスナー用スライダー。
【請求項９】
引手５に設けた枢軸４２の先端外面を斜面に面取り部４６を設けてなる請求項１記載のスライドファスナー用スライダー。
【発明の詳細な説明】
【０００１】
【発明の属する技術分野】
この発明は、スライドファスナー用スライダーであって、スライダー胴体の上翼板上で引手が揺動および回動が自由にでき、かつ引手を後付けできる引手回動タイプのスライドファスナー用スライダーに関するものである。
【０００２】
【従来の技術】
従来、スライドファスナー用スライダーにおいて、引手がスライダー胴体の上翼板上で揺動および回動自在に装備したスライダーは、たとえば図１４に示すように、胴体の案内柱に貫接した取付孔に、頭部のある保持杆を挿通し、胴体と頭部との間に円盤を嵌挿し、この円盤の外面両側に切欠部を設け、この切欠部に引手に設けた軸部を嵌装するとともに、保持杆の下端を胴体下面で固定し、引手を揺動および回動自在に装備したスライダーが実公平７−４６１６８号公報に開示されている。
【０００３】
【発明が解決しようとする課題】
近年、カバン業界においてはライフギャランティが盛んに行われており、カバンに装着されたスライドファスナーが破損した場合、その機能を破損前と同様に回復させることが要求されている。カバンに装着されるスライドファスナーにおいて最も破損する頻度が多い部分はスライダーであり、その原因はスライダーの引手が他の物品に引っ掛かることにより、スライダーの引手と胴体との間に捻りや引張りなどの負荷が過剰に加わり、引手の枢軸を破断して引手が脱落し、または胴体を変形させるためである。従来はこのようにスライダーが破損した場合、カバンに装着したスライドファスナーから破損したスライダーを取り外し、新たなスライダーを付け直す作業も行っていた。しかしこの作業は手間がかかり作業コストが嵩む問題があった。
【０００４】
前項で述べた図１４に示すスライダーは、引手が胴体に対し前後左右に揺動できるとともに、胴体上面において水平方向へ３６０度回動できるため、引手が捻りや引張りなどの負荷に対して反発することなく、引手と胴体との間に加わる負荷を緩和できる利点がある。しかし万が一引手の枢軸が破断した場合は、ファスナーチェンからスライダーを取り外して新しいスライダーに取り替えなければならないので、取り替えに手数を要しコスト高になるなど問題点がある。
【０００５】
この発明は、上述の問題点を考慮して発明されたものであり、請求項１記載の発明は、スライドファスナーのスライダーにおける引手に過酷な捻りや引張りなどの負荷が加わっても、引手が胴体に対し前後左右また水平方向に３６０度回動できる形態で負荷を軽減し円滑な作動が行えるスライダーであり、また万が一引手が破損したときは、スライダーの胴体をファスナーチェンから取り外すことなく、胴体に対し新しい引手を取り付けることができるスライドファスナー用スライダーを提供することが主たる目的である。
【０００６】
請求項２記載の発明は、請求項１記載の発明の目的に加え、引手を係止部材に対してきわめて簡易に取り付けることができるスライドファスナー用スライダーを提供することが目的である。
【０００７】
請求項３、４および５記載の発明は、それぞれ請求項１記載の発明の目的に加え、非弾性体または弾性体から形成された何れの引手であっても、係止部材に対して引手を簡易かつ的確に係止できるスライドファスナー用スライダーを提供することが目的である。
【０００８】
請求項６記載の発明は、それぞれ請求項１記載の発明の目的に加え、係止部材を保持する保持杆の形態および保持杆と係止部材との関連を特定し、係止部材を安定した状態で保持するとともに、引手の係止を的確に行い維持できるスライドファスナー用スライダーを提供することが目的である。
【０００９】
請求項７および８記載の発明は、それぞれ請求項１記載の発明の目的に加え、カバンなどの施錠のためのリングを簡単にスライダーに設置し、簡易に施錠ができるように便宜を図ったスライドファスナー用スライダーを提供することが目的である。
【００１０】
請求項９記載の発明は、請求項１記載の発明の目的に加え、引手の係止部分の形態を特定し、引手を簡易に係止部材に係止させることができるスライドファスナー用スライダーを提供することが目的である。
【００１１】
【課題を解決するための手段】
前記の目的を達成するため、この発明のうち請求項１記載の発明は、スライドファスナーにおける引手５を自由に係止することができる係止部２３を備え持った係止部材３をスライダー１の胴体２の案内柱８の上面に配し、この係止部材３を回動自在に保持する保持杆４を胴体２の案内柱８に貫設した取付孔１２に軸支し、引手５を係止部材３の係止部２３に対し後付け、すなわち保持杆４に回動自在に保持された状態の係止部材３に対して引手５を取り付けることができるように形成したスライドファスナー用スライダーを主な構成とするものである。
【００１２】
請求項２記載の発明は、請求項１記載の発明の構成に加え、引手５の枢軸４２を係止部２３に対し、スナップ係合すなわち凸型と凹型による係合ができるように形成したスライドファスナー用スライダーである。
【００１３】
請求項３記載の発明は、請求項１記載の発明の構成に加え、引手５は金属製の非弾性体から形成し、係止部材３は合成樹脂製またはゴム製などの弾性体から形成し、係止部材３が弾性変形して引手５の枢軸４２を係止部２３に係止させるスライドファスナー用スライダーである。
【００１４】
請求項４記載の発明は、請求項１記載の発明の構成に加え、引手５は合成樹脂製の弾性体から形成し、係止部材３は金属製の非弾性体から形成し、引手５が弾性変形して引手５の枢軸４２を係止部２３に係止させるスライドファスナー用スライダーである。
【００１５】
請求項５記載の発明は、請求項１記載の発明の構成に加え、引手５を係止する係止部２３は、主に合成樹脂製の係止部材３に形成した可撓性を備え持った脚部２２の表面に形成した凹陥状の凹部２４、または脚部２２の先端を分離対向して凹部２４を設けて係止部２３を形成したスライドファスナー用スライダーである。
【００１６】
請求項６記載の発明は、請求項１記載の発明の構成に加え、係止部材３を嵌挿して保持する保持杆４は、保持杆４の頭部３０と胴体２との間に係止部材３を抜脱できないように介設し、保持杆４の頭部３０によって係止部材３の係止部２３を掩蔽し、引手５の枢軸４２が係止部２３から抜脱できないように形成したスライドファスナー用スライダーである。
【００１７】
請求項７記載の発明は、請求項１記載の発明の構成に加え、胴体２の案内柱８に設けた取付孔１２に挿通した保持杆４は、保持杆４に設けた頭部３０の表面に上方へ突出し、カバンの施錠に供するリング部３６を設けたスライドファスナー用スライダーである。
【００１８】
請求項８記載の発明は、請求項１記載の発明の構成に加え、胴体２の上面の案内柱８に設けた取付孔１２の周囲に胴体２の前面へ突出し、対向し突き合わせるスライダー１のリング部３６と重合して施錠できるリング部材６を収容してリング部３６を突設したスライドファスナー用スライダーである。
【００１９】
請求項９記載の発明は、請求項１記載の発明の構成に加え、引手５の両側に設けた枢軸４２の先端外面を斜面の面取り部４６を設けて係止部材３の係止部２３に簡易に挿入できるように形成したスライドファスナー用スライダーである。
【００２０】
【発明の実施の形態】
以下、この発明のスライドファスナー用スライダーの実施の形態について、図面を参照しながら具体的に説明する。
【００２１】
この発明のスライドファスナー用スライダーは、図１〜４に示す第１実施例のスライドファスナー用スライダーは、図１に示すようにスライダー１は、胴体２、係止部材３、保持杆４、引手５、ワッシャ４７の５部材から構成され、胴体２は亜鉛合金、アルミニウム合金などの金属をダイカスト成形手段によって成形し、胴体２は上翼板９と下翼板１０の両側にファスナーエレメントをガイドするガイドフランジ１１が設けられている。上翼板９と下翼板１０の表面は外方へ円板状に隆出し、その中心で案内柱８に相当する部分に円形の貫通する取付孔１２を設ける。この取付孔１２は上半部が大径孔１７、下半部が小径孔１８に形成し、小径孔１８の下端は拡径状の凹陥部１３が形成されている。
【００２２】
係止部材３はポリアセタール、ポリアミド、ポリプロピレン、ポリブチレンテレフタレートなどの熱可塑性樹脂を用いて射出成形手段で成形する。係止部材３は概略円板状で中心に円形の透孔２０を設けてその外側に円環部２１を形成し、円環部２１の一部に外方へ突出する連結突片２６を設け、この連結突片２６から左右に円弧状に延出された脚部２２を円環部２１の周辺に形成し、延出された両側の脚部２２の中心線上に表面が凹状に窪んだ凹部２４を設けて係止部２３を形成する。この係止部２３は連結突片２６を中心として内外に弾発し、引手５の枢軸４２を係止することができる。
【００２３】
保持杆４は金属製であり、円柱状のピン３１の一端に円板状の頭部３０を設け、この頭部３０は前記係止部材３の外径と略同一の大きさに形成し、ピン３１の径は係止部材３の透孔２０に嵌挿できる大きさであり、ピン３１の頭部３０側半部は大径部３２、下半部は小径部３３に形成して胴体２に穿設した取付孔１２に係止部材３を挿通して挿入し、ピンの下端を圧潰して胴体２の下翼板１０に凹設した凹陥部１３に圧着固定する。なおピン３１は胴体２と係止部材３間にワッシャ４７を介在させ、係止部材３を回動自在に保持する。
【００２４】
引手５は胴体２と同様に金属から成形し、一端に適宜形状の摘み部４３を設け、他端は円弧状に切り欠いて凹欠部４４を形成し、凹欠部４４の入口両側に内方へ突出する短尺の枢軸４２を設ける。引手５の両側の枢軸４２は係止部材３の可撓性のある脚部２２の表面に設けた係止部２３に圧入し係止し、引手５は胴体２上面において水平方向に３６０度自由に回動できる。さらに引手５は凹欠部４４を保持杆４の頭部３０の外周形状に略合致させてあるから、枢軸４２を中心に前後にも揺動できるスライダーである。
【００２５】
以上説明したとおりの構成であり、スライダー１の組み付けは、まず保持杆４のピン３１に係止部材３の透孔２０を挿通し、ワッシャ４７を挿通した後に胴体２の取付孔１２に挿入し、取付孔１２の下端に突出するピン３１を圧潰して保持杆４を凹陥部１３に固定する。保持杆４に回動自在に軸支された係止部材３の係止部２３に対し、引手５の枢軸４２を脚部２２の弾発性を利用して挿入し、スナップ係合させスライダー１の組み付けが完了する。組み付けられた引手５の枢軸４２は係止部材３の係止部２３から上方への脱却は、保持杆４の頭部３０の掩蔽によって抜脱を防止することができる。
【００２６】
スライダー１に使用される係止部材３の形態は、図５〜８に示す変形例の如く各種タイプがある。図５に示す係止部材３は、樹脂製で中央に円形の透孔２０を設けた円環部２１を形成し、円環部２１の対面から外方へ連結突片２６を設け、連結突片２６の先端に左右へ円弧状に延出する脚部２２を設け、円弧状の脚部２２の先端が対面する個所に切欠凹部２５を設けて係止部２３を形成し、脚部２２は可撓性を備えている。
【００２７】
図６に示す係止部材３は、金属製の円板２９の中央に円形の透孔２０を穿設し、透孔２０の左右の円板２９に切り起こした突片２８を対向させて凹部２４を形成し、円板２９の左右に形成した凹部２４を係止部２３として用い、この際、図１３に示すような引手５における枢軸４２を利用して弾性変形させて係止部２３に係止する。
【００２８】
図７に示す係止部材３は、金属製または樹脂製の円板２９の中央に円形の透孔２０を穿設し、透孔２０の左右の円板２９に頂点が表面へ突出するＵ字状の凹部２４を設けて係止部２３を形成する。引手５の枢軸４２を挿入するときは、円板２９を押圧し弾性変形させて係止部２３に係止させる。
【００２９】
図８に示す係止部材３は、円板２９の対向する外側面に凹部２４を設けて係止部２３を形成する。この円板２９は弾性に富んだゴム材から形成し、円板２９を押圧し弾性変形させて引手５の枢軸４２を係止部２３に係止する。
【００３０】
図９、１０に示す第２実施例のスライドファスナー用スライダーは、胴体２、係止部材３、保持杆４、引手５およびＣ形ワッシャ４８の５部材から構成され、胴体２は上翼板９の上面は平坦状であり、下翼板１０の下面には案内柱８の端面から案内柱８に貫設した取付孔１２にかけて凹状の凹溝部１５を設け、この凹溝部１５にはＣ形ワッシャ４８が挿入できるように形成する。係止部材３は第１実施例の係止部材３と同型のものを用いる。保持杆４は頭部３０の上面に錠前などの錠杆を挿通することができるリング部３６を突設し、頭部３０の下面にはピン３１を突設し、ピン３１の先端にＣ形ワッシャ４８が嵌入できる溝４０が周設されている。
【００３１】
引手５は基端に内方へ突出する枢軸４２を設けるとともに、凹欠部４４は保持杆４に設けたリング部３６が挿通できる形に形成し、摘み部４３にはスライダー１を対向状に突き合わせて使用する場合の便宜を図って衝合相手のスライダー１のリング部３６を挿通できる長孔４５を設ける。したがってスライダー１を衝合状に配置しない場合、たとえばカバンの開口部の端部に設けた止具などにリング部が回動自在に設けられているときは、引手５には長孔４５を設ける必要はない。
【００３２】
このスライダー１の組み付けは、保持杆４のピン３１を係止部材３の透孔２０に挿通して胴体２の取付孔１２に挿入し、胴体２の凹溝部１５内に現出している溝４０にＣ形ワッシャ４８を嵌入してピン３１を回動自在に固定する。その後においてピン３１に軸支された係止部材３に対し、引手５を圧入し枢軸４２を脚部２２の係止部２３にスナップ係合させて揺動自在に軸支する。なお係止部材３は前記した他のタイプの係止部材３を用いることもできる。
【００３３】
図１１、１２に示す第３実施例のスライドファスナー用スライダーは、胴体２、係止部材３、保持杆４、引手５、リング部材６および六角頭付ナット４９の６部材から構成され、胴体２は上翼板９の上面には案内柱８には貫設した取付孔１２の周囲に円形の窪みとこの窪みに連なって案内柱８の前端に向けて片寄った凹条溝１９を設けてリング部材６の収容部１４を形成し、下翼板１０は取付孔１２の周辺が多少隆起し、胴体２に設ける取付孔１２は上半部が小径孔１８、下半部が拡径した大径孔１７に形成して、六角頭付きナット４９が挿入できるように形成する。係止部材３は第１実施例の係止部材３と同型のものを用いる。
【００３４】
保持杆４は、円形の頭部３０の下面にピン３１を突設し、ピン３１は胴体２の上面に配される部分を大径部３２に形成し、取付孔１２に挿入する部分を小径部３３に形成するとともに、小径部３３の先端側にはネジ３４を刻設して六角頭付ナット４９と螺合する。リング部材６は胴体２の収容部１４に収容できるように円形の基板３８と基板３８に片寄った位置に突出する突出片３９を設け、基板３８の中心には胴体２の取付孔１２と同径の挿通孔４１を設け、また突出片３９には錠前の錠杆が挿入できるリング部３６を横設する。引手５は第１実施例の引手５と略同型のものを用いる。
【００３５】
スライダー１の組み付けは、胴体２の上面に設けた収容部１４にリング部材６を収容し、リング部材６の基板３８上に係止部材３を重合し、この係止部材３の透孔２０、基板３８の挿通孔４１に保持杆４のピン３１における大径部３２を挿通し、ピン３１の小径部３３を胴体２の取付孔１２に挿入するとともに、胴体２の下面における取付孔１２に挿入し固定されている六角頭付ナット４９にピン３１を螺合させ固定した後、引手５を係止部材３に対し圧入し、枢軸４２を係止部材３の脚部２２に設けた係止部２３にスナップ係合してスライダー１が組み付けられる。このスライダー１は胴体２の前方へ向けてリング部３６を片寄らせて設けたスライダー１同士を突き合わす衝合状態に配したとき、リング部３６を重ね合わせて錠前の錠杆を挿通して施錠するスライダーである。
【００３６】
図１３に示す係止部材３と引手５の変形例は、係止部材３が樹脂製の円板２９から形成し、円板２９の対向外側面に凹部２４を設けて係止部２３を形成する。一方引手５は一端に枢軸４２を内方へ向けて突設し、この枢軸４２の先端外面を斜面を呈するように面取り部４６を設けて、係止部２３と枢軸４２とを容易にスナップ係合できる形に形成したものである。
【００３７】
【発明の効果】
この発明のスライドファスナー用スライダーは、以上説明したとおりの構成であり、この構成によって下記の効果を奏するものである。
【００３８】
この発明のうち請求項１記載の発明は、スライダー胴体に、引手を係止できる係止部を備えた係止部材と、胴体に軸支し係止部材を回動可能に保持する保持杆とを配設し、引手を係止部材へ後付け可能に形成したことによって、スライダーに過酷な負荷が加わると、負荷に沿って引手が自由に前後左右に揺動し、また水平方向においては３６０度回動し負荷を軽減する効果があり、さらに引手が破損したときは、ファスナーチェンからスライダー胴体を取り外すことなく新しい引手を取り付けることができ、安価かつ迅速にカバンのライフギャランティに対応できる効果がある。
【００３９】
請求項２記載の発明は、請求項１記載の発明の効果に加え、引手と係止部２３とをスナップ係合させたことによって、引手を係止部材に対してきわめて簡易に取り付けることができ、しかも引手を自由自在に回動させることができる効果がある。
【００４０】
請求項３および４記載の発明は、それぞれ請求項１記載の発明の効果に加え、引手は非弾性体から形成し、弾性変形可能な係止部材に係止し、または引手を弾性変形可能に形成し、非弾性体の係止部材に係止させることによって、非弾性体または弾性体から形成された何れの引手であっても係止部材の係止部と引手の枢軸とを簡易かつ的確にスナップ係合させ係止できる効果がある。
【００４１】
請求項５記載の発明は、請求項１記載の発明の効果に加え、係止部は、係止部材の可撓性を有する脚部に形成したことによって、係止部をきわめて簡単に作動効率のよい個所に設置することができる効果がある。
【００４２】
請求項６記載の発明は、請求項１記載の発明の効果に加え、保持杆は一端に頭部を設け、保持杆の頭部と胴体との間に係止部材を抜脱不能に介設し、頭部により係止部を掩蔽したことによって、引手と係止部材とのスナップ係合部分を表面へ露呈させることなく、かつ枢軸を係止部から脱落するのを防ぎ、長期にわたって安定した係止状態を維持できる効果がある。
【００４３】
請求項７および８記載の発明は、それぞれ請求項１記載の発明の効果に加え、保持杆の頭部に施錠用のリング部を設置するか、または胴体上面に、前方へ突出する施錠用のリング部を収容できる収容部を設け、リング部を収容したことによって、各種タイプの施錠機構を備えたスライダーを簡易に作製できる効果がある。
【００４４】
請求項９記載の発明は、請求項１記載の発明の効果に加え、引手に設けた枢軸の先端外面を斜面の面取り部を設けたことによって、引手の枢軸を係止部材の係止部に簡易かつ円滑にスナップ係合させ係止できる効果があるなど、この発明が奏する効果はきわめて顕著である。
【図面の簡単な説明】
【図１】スライドファスナーの第１実施例のスライダーの分解斜視図である。
【図２】同上スライダーの側面図である。
【図３】同上スライダーの図４におけるＢ−Ｂ線断面図である。
【図４】同上スライダーの図３におけるＡ−Ａ線断面図である。
【図５】係止部材の第１変形例を示す斜視図である。
【図６】係止部材の第２変形例を示す斜視図である。
【図７】係止部材の第３変形例を示す斜視図である。
【図８】係止部材の第４変形例を示す斜視図である。
【図９】第２実施例のスライダーの分解斜視図である。
【図１０】同上スライダーの断面図である。
【図１１】第３実施例のスライダーの分解斜視図である。
【図１２】同上スライダーの断面図である。
【図１３】係止部材と引手の変形例を示す斜視図である。
【図１４】公知のスライダーの分解斜視図である。
【符号の説明】
１　　　　　　スライダー
２　　　　　　胴体
３　　　　　　係止部材
４　　　　　　保持杆
５　　　　　　引手
１４　　　　　　収容部
２２　　　　　　脚部
２３　　　　　　係止部
３０　　　　　　頭部
３６　　　　　　リング部
４２　　　　　　枢軸
４６　　　　　　面取り部
【図１】
2004049504.tif 000003
【図２】
2004049504.tif 000004
【図３】
2004049504.tif 000005
【図４】
2004049504.tif 000006
【図５】
2004049504.tif 000007
【図６】
2004049504.tif 000008
【図７】
2004049504.tif 000009
【図８】
2004049504.tif 000010
【図９】
2004049504.tif 000011
【図１０】
2004049504.tif 000012
【図１１】
2004049504.tif 000013
【図１２】
2004049504.tif 000014
【図１３】
2004049504.tif 000015
【図１４】
2004049504.tif 000016